(57)【要約】  【課題】  効率よく収納ができる冷蔵庫を提供する。  【解決手段】    貯蔵室５の前面を開閉するドア２の内面側に配されて貯蔵物を収納する着脱自在のポケット３を有した冷蔵庫１において、ポケット３は、直交する２面を開放した箱型に形成されるとともに、所定の貯蔵物を保持する板状の保持枠１１を該２面の一に平行に有し、開放側の２面を上方とドア２の内面２ａに向けて、保持枠１１を横設した向きと立設した向きとに取付けできる。【選択図】      図６
2006118794.tif 000002
【特許請求の範囲】
【請求項１】
貯蔵室の前面を開閉するドアの内面側に配されて貯蔵物を収納するポケットを有した冷蔵庫において、前記ポケットは複数の取付け方向を有して着脱自在に設けられ、取付け方向に応じて形状の異なる貯蔵物を収納できることを特徴とする冷蔵庫。
【請求項２】
前記ポケットは、直交する２面を開放した箱型に形成されるとともに、所定の貯蔵物を保持する板状の保持枠を該２面の一に平行に有し、開放側の２面を上方と前記ドアの内面に向けて、前記保持枠を横設した向きと立設した向きとに取付けできることを特徴とする請求項１に記載の冷蔵庫。
【請求項３】
前記保持枠は鶏卵を保持する複数の円形の穴部を有することを特徴とする請求項２に記載の冷蔵庫。
【請求項４】
前記ポケットの側面に平行なリブを前記保持枠に立設したことを特徴とする請求項２または請求項３に記載の冷蔵庫。
【請求項５】
前記ドアから離れた方向と下方とに開放される溝部を前記ポケットの両側面に設け、前記溝部に嵌合して前記ポケットを係止する係止部を前記ドアの内面に突設したことを特徴とする請求項１〜請求項４のいずれかに記載の冷蔵庫。
【請求項６】
前記係止部を縦方向に複数設けたことを特徴とする請求項５に記載の冷蔵庫。
【発明の詳細な説明】
【技術分野】
【０００１】
本発明は、ドア内面側に貯蔵物を収納するポケットを有した冷蔵庫に関する。
【背景技術】
【０００２】
図１０は従来の冷蔵庫を示す要部斜視図である。冷蔵庫１は貯蔵室５の前面開口部を開閉する回動式のドア２が設けられている。ドア２の内面２ａには貯蔵物を収納するポケット４、６が設けられている。下方のポケット４はペットボトルやドレッシングのボトルＢ等の貯蔵物が収納される。
【０００３】
上方のポケット６には円形の穴部１１ａを有した保持枠１１が水平に設けられ、穴部１１ａにより鶏卵Ｅを保持することができるようになっている。また、ポケット６には、香辛料のチューブＴ等を収納する容器７が掛着されている。
【特許文献１】特開平１１−１１８３３７号公報（第２頁、第６図）
【発明の開示】
【発明が解決しようとする課題】
【０００４】
しかしながら、上記従来の冷蔵庫１によると、鶏卵Ｅを貯蔵しない場合は、上方のポケット４の収納スペースが無駄になる。また、チューブＴ等の収納用の容器７が貯蔵室５内に突出するため貯蔵室５の収納スペースが減少する。更に、ペットボトルに比して比較的背の低いドレッシングのボトルＢを下方のポケット６に収納するとボトルＢの上方のスペースが無駄になる。従って、冷蔵庫１の収納の効率が悪い問題があった。
【０００５】
本発明は、効率よく収納ができる冷蔵庫を提供することを目的とする。
【課題を解決するための手段】
【０００６】
上記目的を達成するために本発明は、貯蔵室の前面を開閉するドアの内面側に配されて貯蔵物を収納するポケットを有した冷蔵庫において、前記ポケットは複数の取付け方向を有して着脱自在に設けられ、取付け方向に応じて形状の異なる貯蔵物を収納できることを特徴としている。この構成によると、ポケットを一の向きに取り付けると鶏卵等の貯蔵物を収納可能になり、他の向きに取り付けると香辛料のチューブ等の貯蔵物を収納可能になる。
【０００７】
また本発明は、上記構成の冷蔵庫において、前記ポケットは、直交する２面を開放した箱型に形成されるとともに、所定の貯蔵物を保持する板状の保持枠を該２面の一に平行に有し、開放側の２面を上方と前記ドアの内面に向けて、前記保持枠を横設した向きと立設した向きとに取付けできることを特徴としている。
【０００８】
この構成によると、ポケットは開放された２面の一方を上方に向けて取り付けたときに保持枠が横設された状態になり、鶏卵等の貯蔵物が保持枠で保持される。該一方をドアに面して取り付けると保持枠が立設された状態になり、保持枠で仕切られた各区画に香辛料のチューブ等の貯蔵物が立てて収納される。
【０００９】
また本発明は、上記構成の冷蔵庫において、前記保持枠は鶏卵を保持する複数の円形の穴部を有することを特徴としている。
【００１０】
また本発明は、上記構成の冷蔵庫において、前記ポケットの側面に平行なリブを前記保持枠に立設したことを特徴としている。この構成によると、保持枠で分割されるスペースがリブによって更に仕切られる。
【００１１】
また本発明は、上記構成の冷蔵庫において、前記ドアから離れた方向と下方とに開放される溝部を前記ポケットの両側面に設け、前記溝部に嵌合して前記ポケットを係止する係止部を前記ドアの内面に突設したことを特徴としている。この構成によると、溝部の開放端から係止部が挿入され、係止部が溝部に係合してポケットがドアの内面側に支持される。溝部は２面に開放端を有するため、異なる向きにポケットが取り付けられる。
【００１２】
また本発明は、上記構成の冷蔵庫において、前記係止部を縦方向に複数設けたことを特徴としている。この構成によると、係止部に係合して取り付けられるポケットの取り付け位置を上下に移動可能になる。
【発明の効果】
【００１３】
本発明によると、取付け方向に応じて形状の異なる貯蔵物を収納できるポケットを設けたので、貯蔵する貯蔵物の形状に応じてポケットの取付け方向を可変して効率よく収納することができる。
【００１４】
また本発明によると、ポケットは２面を開放して板状の保持枠を有するので、保持枠で保持可能な貯蔵物は保持枠を横設して収納され、保持枠で保持できない貯蔵物は保持枠を立設して収納される。従って、保持枠を横設して鶏卵等を収納し、保持枠を立設して香辛料のチューブやドレッシングのボトル等をポケットに立てて効率よく収納することができる。また、保持枠をポケットと一体成形することにより部品点数を増加させることなく収納効率を向上できる。
【００１５】
また本発明によると、保持枠は鶏卵を保持する複数の円形の穴部を有するので、保持枠を横設してポケット内に鶏卵が収納され、鶏卵を貯蔵しないときはポケット内にチューブやボトル等を収納できる。
【００１６】
また本発明によると、ポケットの側面に平行なリブを保持枠に立設したので、保持枠を立設した際に、リブによってチューブ等を倒れることなく収納することができる。
【００１７】
また本発明によると、ドアから離れた方向と下方とに開放される溝部をポケットの両側面に設け、溝部に嵌合してポケットを係止する係止部をドアの内面に突設したので、異なる向きで取付け可能なポケットを容易に実現することができる。
【００１８】
また本発明によると、係止部を縦方向に複数設けたので、背の低い貯蔵物をポケットに収納する際にポケットを上方に配置して、ポケットの下方のスペースを有効利用することができる。
【発明を実施するための最良の形態】
【００１９】
以下に本発明の実施形態を図面を参照して説明する。図１は一実施形態の冷蔵庫を示す要部斜視図である。説明の便宜上、前述の図１０に示す従来例と同一の部分は同一の符号を付している。冷蔵庫１は貯蔵室５の前面開口部を開閉する回動式のドア２が設けられている。ドア２の内面２ａには貯蔵物を収納するポケット３、４が設けられている。下方のポケット４はペットボトル等の貯蔵物が収納される。
【００２０】
図２〜図５はそれぞれ上方のポケット３を示す斜視図、上面図、正面図及び側面図である。ポケット３はドア２に着脱自在に設けられ、直交する２面が開放される箱型の樹脂成形品から成っている。開放側と反対側の２面は第１、第２壁面３ｃ、３ｄで覆われ、第１壁面３ｃに直交して第２壁面３ｄに平行な保持枠１１が一体に設けられている。保持枠１１には複数の円形の穴部１１ａが開口している。
【００２１】
ポケット３の側面３ａ、３ｂには、第１、第２壁面３ｃ、３ｄ上に開放端１２ａ、１２ｂを有するＬ字型の溝部１２が形成されている。溝部１２は、ドア２の内面２ａ側に設けられた側壁２ｂ、２ｃ及び中央壁２ｄ（いずれも図１参照）に突設した断面形状が円形の係止部２ｅと嵌合する。
【００２２】
いずれか一方の開放端１２ａ、１２ｂから溝部１２に係止部２ｅを挿入することによりポケット３が係止され、ポケット３をドア２に取り付けることができる。尚、ポケット３の側面３ａ、３ｂの端面がドア２の内面２ａに当接してポケット３の回動が規制される。係止部２ｅの断面形状を矩形にしてもよい。
【００２３】
また、Ｌ字型の溝部１２を分断して開放端１２ａ、１２ｂからそれぞれ延びた２つの溝を形成してもよい。水平に延びる溝部またはドア２側が下方に傾斜する溝部をドア２の側壁２ｂ、２ｃ及び中央壁２ｄに設け、ポケット３の側面３ａ、３ｂに係止部を突設してもよい。
【００２４】
上記構成のポケット３の開放側を上方及びドア２の内面２ａに向け、第１壁面３ｃをドア２の内面２ａに平行に配置すると、保持枠１１が水平に横設される。これにより、前述の図１に示すように、穴部１１ａにより鶏卵Ｅを保持することができる。
【００２５】
また、図６に示すように、ポケット３の左右方向を１８０゜回転し、更に前後に９０゜回転することにより、保持枠１１を垂直に立設することができる。図７はこの状態でポケット３をドア２に取り付けた場合の斜視図を示している。ポケット３の開放側は上方及びドア２の内面２ａに向けられ、第２壁面３ｄがドア２の内面２ａに平行に配置されている。
【００２６】
その結果、ポケット３の内部は保持枠１１により前後に分割して仕切られ、前後の各区画に香辛料のチューブＴやドレッシングのボトルＢ等の貯蔵物を立てて収納することができる。これにより、鶏卵Ｅを貯蔵する場合は図１に示すように保持枠１１を横設してポケット３に収納し、鶏卵を貯蔵しない場合は保持枠１１を立設してチューブＴやボトルＢをポケット３に収納することができる。従って、貯蔵する貯蔵物の形状に応じてポケット３の取付け方向を可変して効率よく収納することができる。
【００２７】
また、下方のポケット４にペットボトルよりも背の低いドレッシングのボトルＢを収納しなくてもよく、チューブＴ等を収納する容器７（図１０参照）が貯蔵室５内に突出しない。従って、更に効率よく収納することができる。加えて、保持枠１１をポケット３と一体成形することにより、部品点数を増加させることなく収納効率を向上できる。
【００２８】
前述の図６に一点鎖線で示すように、ポケット３の側面３ａ、３ｂに平行なリブ１１ｃを保持枠１１に立設するとより望ましい。このようにすると、保持枠１１が立設する向きにポケット３を取り付けた際に、リブ１１ｃによってチューブＴ等を倒れることなく収納することができる。
【００２９】
また、ドア２の側壁２ｂ、２ｃ及び中央壁２ｄに突設される係止部２ｅは縦方向に複数設けられている。これにより、ポケット３の取付位置を上下に移動させることができる。従って、背の低い貯蔵物をポケット３に収納する際にポケット３を上方に設置することにより、ポケット３の下方のスペースを有効利用することができる。
【００３０】
例えば、図８は前述の図１の状態に対して両方のポケット３を上方に設置した例を示している。同図に示すように、ポケット３には鶏卵Ｅが収納されている。また、図９は一方のポケット３を上方に設置して他方を下方に設置した例を示している。同図に示すように、上方に設置した左のポケット３には鶏卵Ｅが収納され、下方に設置した右のポケット３には鶏卵Ｅよりも背の高いチューブＴやボトルＢが収納されている。
【産業上の利用可能性】
【００３１】
本発明によると、ドアの内面側にポケットを有した冷蔵庫に利用することができる。
【図面の簡単な説明】
【００３２】
【図１】本発明の実施形態の冷蔵庫を示す要部斜視図
【図２】本発明の実施形態の冷蔵庫のポケットを示す斜視図
【図３】本発明の実施形態の冷蔵庫のポケットを示す上面図
【図４】本発明の実施形態の冷蔵庫のポケットを示す正面図
【図５】本発明の実施形態の冷蔵庫のポケットを示す側面図
【図６】本発明の実施形態の冷蔵庫のポケットの向きを可変する状態を示す斜視図
【図７】本発明の実施形態の冷蔵庫のポケットを他の向きにした要部斜視図
【図８】本発明の実施形態の冷蔵庫のポケットを他の取付位置にした要部斜視図
【図９】本発明の実施形態の冷蔵庫のポケットを他の取付位置にした要部斜視図
【図１０】従来の冷蔵庫を示す要部斜視図
【符号の説明】
【００３３】
１    冷蔵庫
２    ドア
２ｃ、２ｃ  側壁
２ｄ  中央壁
２ｅ  係止部
３、４、６  ポケット
３ａ、３ｂ  側面
３ｃ  第１壁面
３ｄ  第２壁面
１１    保持枠
１１ａ  穴部
１２    溝部
Ｅ    鶏卵
Ｔ    チューブ
Ｂ    ボトル
【図１】
2006118794.tif 000003
【図２】
2006118794.tif 000004
【図３】
2006118794.tif 000005
【図４】
2006118794.tif 000006
【図５】
2006118794.tif 000007
【図６】
2006118794.tif 000008
【図７】
2006118794.tif 000009
【図８】
2006118794.tif 000010
【図９】
2006118794.tif 000011
【図１０】
2006118794.tif 000012